(57)【特許請求の範囲】
【請求項１】
屋内外の境界における屋内側の路面に構築される舗装構造であって、
前記屋内側の路面の前記境界寄りの領域には、表面から裏面に水を浸透させることができるブロック本体の裏面に所定方向に沿って並んだ複数の溝が形成されているとともに、その複数の溝を覆うように遮水シートが接合されている透水排水性ブロックが複数敷き詰められ、
前記複数の透水排水性ブロックが敷き詰められている領域に隣接する前記屋内側の路面には、ポーラス状の空隙を有する透水保水性ブロックが複数敷き詰められており、
前記複数の透水排水性ブロックは、前記複数の溝が屋内から屋外に向かって延在する向きにて設置されていることを特徴とする舗装構造。
【請求項２】
前記複数の透水排水性ブロックが敷き詰められている路面は、屋内から屋外に向かう下り勾配であることを特徴とする請求項１に記載の舗装構造。
【請求項３】
前記複数の透水排水性ブロックが敷き詰められている路面に隣接して前記境界に沿う領域には、その一部が前記透水排水性ブロックの下に位置するように集水ユニットが設置されており、
前記集水ユニットには、排水路に繋がる排水パイプが接続されていることを特徴とする請求項１又は２に記載の舗装構造。
【請求項４】
前記複数の透水排水性ブロックと前記複数の透水保水性ブロックは、防水処理された躯体基面上に敷き詰められていることを特徴とする請求項１〜３の何れか一項に記載の舗装構造。
【発明の詳細な説明】
【技術分野】
【０００１】
本発明は、路面に水溜りをでき難くする舗装構造に関する。
【背景技術】
【０００２】
従来、雨水を内部に浸透させ易くした多孔質の透水性ブロックが知られている（例えば、特許文献１参照。）。
透水性ブロックであれば、表面から浸透して裏面に抜けた雨水を地中に浸透させることができるので、ブロック舗装した路面に水溜りができ難くなる。
【先行技術文献】
【特許文献】
【０００３】
【特許文献１】特開２００１−３４２０５５号公報
【発明の概要】
【発明が解決しようとする課題】
【０００４】
しかしながら、上記特許文献１の透水性ブロックの場合、短時間に大量の雨が降るなどして、地中に浸透する雨水よりも多くの雨水がブロック内に浸透すると、そのブロック表面に雨水が滞留し、路面に水溜りができてしまうことがあった。
また、建築構造物上にブロック舗装されている場合には、雨水を地中に浸透させることができないので、路面に水溜りができてしまう。
【０００５】
本発明の目的は、より一層水溜りをでき難くする舗装構造を提供することである。
【課題を解決するための手段】
【０００６】
上記目的を達成するため、本出願に係る一の発明は、
屋内外の境界における屋内側の路面に構築される舗装構造であって、
前記屋内側の路面の前記境界寄りの領域には、表面から裏面に水を浸透させることができるブロック本体の裏面に所定方向に沿って並んだ複数の溝が形成されているとともに、その複数の溝を覆うように遮水シートが接合されている透水排水性ブロックが複数敷き詰められ、
前記複数の透水排水性ブロックが敷き詰められている領域に隣接する前記屋内側の路面には、ポーラス状の空隙を有する透水保水性ブロックが複数敷き詰められており、
前記複数の透水排水性ブロックは、前記複数の溝が屋内から屋外に向かって延在する向きにて設置されているようにした。
【０００７】
かかる構成の舗装構造が、屋内外の境界における屋内側の路面に構築されていれば、雨が吹き込んで屋内側の路面に雨水が降りかかったり、通行人の靴や傘などを介して屋内側に雨水が持ち込まれたりした場合、雨水は速やかに透水排水性ブロックに浸み込むので、路面には水溜りができ難くなっている。
そして、透水排水性ブロックに浸み込んだ雨水は、ブロック本体の溝に沿って遮水シート上を流れるようになっており、複数の溝が屋内から屋外に向かって延在する向きに透水排水性ブロックが設置されていれば、透水排水性ブロックに浸み込んだ雨水は屋内から屋外側に排出されるようになるので、屋内側の路面により一層水溜りをでき難くすることができる。
また、複数の透水排水性ブロックが敷き詰められている領域に隣接する屋内側奥の路面に、ポーラス状の空隙を有する透水保水性ブロックが複数敷き詰められていれば、例えば、通行人の靴や傘などを介して屋内側に雨水が持ち込まれたりした場合、その雨水は速やかに透水保水性ブロックに浸み込み、保水されるので、路面には水溜りができ難くなっている。
そして、透水保水性ブロックに浸み込んだ雨水は、透水保水性ブロックのポーラス状の空隙を通じて拡散され、速やかに蒸発するようになっているので、より一層路面に水溜りをでき難くすることができる。
【０００８】
このように、本発明に係る舗装構造は、複数の透水排水性ブロックを敷き詰めてなる排水床エリアと、複数の透水保水性ブロックを敷き詰めてなる保水床エリアを備えており、排水床エリアの透水排水性ブロックに浸み込んだ雨水は屋内から屋外側に排出され、保水床エリアの透水保水性ブロックに浸み込んだ雨水は速やかに蒸発するようになっているので、その相乗効果でより一層路面に水溜りをでき難くすることができる。
【０００９】
また、望ましくは、
前記複数の透水排水性ブロックが敷き詰められている路面は、屋内から屋外に向かう下り勾配であるようにする。
こうすることで、複数の透水排水性ブロックに浸み込んだ雨水が、屋内から屋外に向かって流れ易くなり、雨水を屋外に排出し易くなる。
【００１０】
また、望ましくは、
前記複数の透水排水性ブロックが敷き詰められている路面に隣接して前記境界に沿う領域には、その一部が前記透水排水性ブロックの下に位置するように集水ユニットが設置されており、
前記集水ユニットには、排水路に繋がる排水パイプが接続されているようにする。
このように集水ユニットの一部が透水排水性ブロックの下に設置されていることで、透水排水性ブロックを通じて集水ユニットに流れ込む雨水を受水し易くなっている。
そして、集水ユニットに流れ込んだ雨水を、排水パイプを通じて排水路に排出することができる。
【００１１】
また、望ましくは、
前記複数の透水排水性ブロックと前記複数の透水保水性ブロックは、防水処理された躯体基面上に敷き詰められているようにする。
こうすることで、敷き詰められたブロックを通過した雨水が防水処理された層よりも下に浸透しないようにすることができる。
【発明の効果】
【００１５】
本発明によれば、路面に水溜りをでき難くすることができる。
【図面の簡単な説明】
【００１６】
【図１】本実施形態の透水排水性ブロックを示す平面図（ａ）と、正面図（ｂ）である。
【図２】本実施形態の舗装構造を一部断面視して示す側面図である。
【図３】舗装構造の排水床エリアを示す上面図である。
【図４】図３のIV−IV線における断面図である。
【図５】舗装構造の他の実施形態を示す側面図である。
【発明を実施するための形態】
【００１７】
以下、図面を参照して、本発明に係る透水排水性ブロックおよび舗装構造の実施形態について詳細に説明する。但し、以下に述べる実施形態には、本発明を実施するために技術的に好ましい種々の限定が付されているが、本発明の範囲を以下の実施形態及び図示例に限定するものではない。
【００１８】
まず、透水排水性ブロック１０について説明する。
本実施形態の透水排水性ブロック１０は、図１（ａ）（ｂ）に示すように、透水性を有するブロック本体１１と、ブロック本体１１の裏面側に接合された遮水シート１２を備えている。
ブロック本体１１は、例えば、多孔質材料であるポーラスセラミックスやポーラスコンクリート、あるいは所定の粒度を有する骨材を結合剤などで固めたポーラスアスファルトなど、ポーラス状の空隙を有する材料からなる部材であり、表面から裏面に水を浸透させることができる。
また、ブロック本体１１の裏面には、所定方向に沿って並んだ複数の溝１１ａが形成されている。
遮水シート１２は、例えば、ゴム製のシート材であり、複数の溝１１ａを覆うようにブロック本体１１の裏面に接着剤で貼付されている。
【００１９】
そして、透水排水性ブロック１０の表面から浸透して裏面に抜けた水は、複数の溝１１ａに沿って遮水シート１２上を流れるようになっている。
この透水排水性ブロック１０は、屋内外の境界における屋内側の路面の舗装に用いるよう設計されたブロックであり、ブロック本体１１の複数の溝１１ａが屋内から屋外に向かって延在する向きとなるように、複数の透水排水性ブロック１０を路面に敷き詰めて使用する。こうすることで、透水排水性ブロック１０に浸み込んだ雨水は、ブロック本体１１の溝１１ａに沿って遮水シート１２上を流れて、屋内から屋外側に排出されるようになる。
【００２０】
つまり、複数の透水排水性ブロック１０を路面に敷き詰めて使用する場合、ブロック本体１１の複数の溝１１ａが屋内から屋外に向かって延在する向きとなるように路面に設置することで、透水排水性ブロック１０に浸み込んだ雨水を屋内から屋外側に排出させることが可能になる。
【００２１】
次に、透水排水性ブロック１０を用いて構築した舗装構造１００について説明する。
本実施形態の舗装構造１００は、例えば、駅やショッピングモールのコンコースなど、ルーフＲ下が開放された空間となっている施設において、屋内外の境界Ｂにおける屋内側の路面に構築することで、屋内側に吹き込むなどした雨水を屋外に排出し易く、また蒸発し易くした舗装構造である。本実施形態では、ルーフＲの端面を基準にして屋内外の境界Ｂを定めている。
【００２２】
舗装構造１００は、例えば図２〜図４に示すように、複数の透水排水性ブロック１０を敷き詰めてなる排水床エリアＡ１と、複数の透水保水性ブロック２０を敷き詰めてなる保水床エリアＡ２と、集水ユニット３０等を備えて構成されている。
【００２３】
排水床エリアＡ１は、屋内側の路面の境界Ｂ寄りの領域に、複数の透水排水性ブロック１０を敷き詰めて形成されている。例えば、排水床エリアＡ１は、境界Ｂから屋内側６ｍまでの範囲に形成されている。なお、ルーフＲ下の路面には、境界Ｂから屋内側２〜３ｍ程度まで雨が吹き込むことを想定している。
この排水床エリアＡ１に敷き詰められている透水排水性ブロック１０は、ブロック本体１１の複数の溝１１ａが屋内から屋外に向かって延在する向きに設置されている。これら透水排水性ブロック１０の複数の溝１１ａは、それぞれ一直線状に繋がっている。
そして、排水床エリアＡ１の透水排水性ブロック１０に浸み込んだ雨水は、ブロック本体１１の溝１１ａに沿って遮水シート１２上を流れるようにして集水ユニット３０に流れ込み、排水される。
【００２４】
保水床エリアＡ２は、排水床エリアＡ１に隣接する屋内側の路面の領域に、複数の透水保水性ブロック２０を敷き詰めて形成されている。例えば、保水床エリアＡ２は、排水床エリアＡ１よりも屋内側であって境界Ｂから１０ｍまでの範囲、つまり排水床エリアＡ１との境目から屋内側４ｍまでの範囲に形成されている。
この保水床エリアＡ２に敷き詰められている透水保水性ブロック２０は、ポーラス状の空隙を有するブロックであり、浸み込んだ水を一時的に保水するとともに速やかに蒸発させる機能を有している。
透水保水性ブロック２０としては、例えば、多孔質材料であるポーラスセラミックスやポーラスコンクリート、あるいは所定の粒度を有する骨材を結合剤などで固めたポーラスアスファルトなどを、所定のサイズに成形したものを用いることができる。
【００２５】
集水ユニット３０は、排水床エリアＡ１に隣接する領域で境界Ｂに沿うように設けられている。ここでの集水ユニット３０は、屋内外の境界Ｂにおける屋内側の領域に設けられている。
複数の透水排水性ブロック１０が敷き詰められている排水床エリアＡ１の路面は、屋内から屋外に向かう下り勾配であるので、排水床エリアＡ１の透水排水性ブロック１０に浸み込んだ雨水が集水ユニット３０に流れ込むようになっている。舗装構造１００での下り勾配は、例えば１／１００の雨勾配である。
【００２６】
この集水ユニット３０は、例えば、図４に示すように、トレー部材３１と、トレー部材３１内に収容されている集水用透水ブロック３２、ユニット蓋３３、ユニット蓋３３下の空隙部３４、透水目地３５等を備えている。
【００２７】
トレー部材３１は、排水床エリアＡ１から流れ込む雨水を一時的に貯留可能に構成されている。
トレー部材３１には、一時的に貯留した雨水を排出する排出口３１ａが設けられており、この排出口３１ａに排水路Ｄに繋がる排水パイプＰが接続されている。なお、排出口３１ａは、境界Ｂに沿う方向に所定間隔をあけて複数設けられており、各排出口３１ａに排水パイプＰが接続されている。
また、トレー部材３１内に設置されているユニット蓋３３の下面には、略簀子形状を有する下台部３１ｂが設けられており、この下台部３１ｂによってユニット蓋３３の下に空隙部３４が形成されている。この空隙部３４に雨水が一時的に溜り、排出口３１ａを通じて排出されるようになっている。
【００２８】
この集水ユニット３０に空隙部３４が設けられているので、トレー部材３１に急激に多量の雨水が流れ込んでも好適に受水することができる。
また、ユニット蓋３３と下台部３１ｂとが接着されて一体になっているので、これらユニット蓋３３と下台部３１ｂを集水ユニット３０（トレー部材３１）から取り外すことによって、空隙部３４の清掃を容易に行うことができる。
【００２９】
集水用透水ブロック３２は、透水性を有するブロックであり、トレー部材３１に流れ込んだ雨水が空隙部３４および排出口３１ａを通じて排水パイプＰに流れ出すように誘導する機能を有している。
【００３０】
ここで、トレー部材３１の一部と集水用透水ブロック３２の一部が、排水床エリアＡ１の透水排水性ブロック１０の下に位置するように設置されているので、透水排水性ブロック１０を通じて集水ユニット３０に流れ込む雨水を受水し易くなっている。
また、集水ユニット３０の一部が透水排水性ブロック１０の下に設置され、透水排水性ブロック１０と集水ユニット３０とが重なっている箇所において、透水排水性ブロック１０の遮水シート１２の一部が切除されており、透水排水性ブロック１０から集水ユニット３０に雨水が流れ込み易くなっている。
【００３１】
また、舗装構造１００をより詳細に説明すると、複数の透水排水性ブロック１０と複数の透水保水性ブロック２０は、防水処理された躯体基面Ｇ上に敷き詰められている。
本実施形態では、スラブなどの躯体基面Ｇ上に防水剤を塗布して形成した第１防水層４０と、第１防水層４０上に積層した第２防水層５０と、第２防水層５０上に積層した第３防水層６０とによって防水処理を施している。
【００３２】
第１防水層４０は、例えば、シラン・シロキサン系の防水剤を躯体基面Ｇ上に塗布して形成した下地の塗膜である。
第２防水層５０は、例えば、珪酸ナトリウム系防水剤：セメント：砂＝０．２：１：３で配合した防水カラ練りを、第１防水層４０上に敷いて形成した下地層である。
第３防水層６０は、例えば、ＳＢＲラテックス系防水剤：セメント＝０．６：１で配合した防水ペーストを、第２防水層５０上に塗工して形成した下地層である。
なお、第２防水層５０と第３防水層６０の一部は、集水ユニット３０のトレー部材３１内に入り込むように形成されている。
【００３３】
そして、下地である第１防水層４０と第２防水層５０と第３防水層６０とによって防水処理を施した躯体基面Ｇ上に、複数の透水排水性ブロック１０を敷き詰めて排水床エリアＡ１が形成されており、複数の透水保水性ブロック２０を敷き詰めて保水床エリアＡ２が形成されている。
これら防水層上に透水排水性ブロック１０や透水保水性ブロック２０が敷き詰められているので、敷き詰めたブロックを通過した雨水が防水層よりも下に浸透しないようになっている。
【００３４】
このような舗装構造１００が、屋内外の境界Ｂにおける屋内側の路面に構築されていれば、屋内側の路面の境界Ｂ寄りの領域には排水床エリアＡ１があるので、ルーフＲの下まで雨が吹き込んで屋内側の路面に雨水が降りかかったり、通行人の靴や傘などを介して屋内側に雨水が持ち込まれたりした場合、雨水は速やかに透水排水性ブロック１０に浸み込んで集水ユニット３０にまで流され、さらに排水路Ｄに向けて排水される。
つまり、複数の透水排水性ブロック１０が敷き詰められている排水床エリアＡ１が雨水で濡れることはあっても、その路面には水溜りができ難くなっている。
【００３５】
また、排水床エリアＡ１よりも奥にある保水床エリアＡ２には直接雨水が降りかからないものの、通行人の靴や傘などを介して雨水が持ち込まれることがあるが、その程度の雨水であれば速やかに透水保水性ブロック２０に浸み込むので、路面には水溜りができないようになっている。
そして、複数の透水保水性ブロック２０が敷き詰められている保水床エリアＡ２に浸み込んだ雨水は、透水保水性ブロック２０のポーラス状の空隙を通じて拡散され、速やかに蒸発するようになっているので、保水床エリアＡ２の路面には水溜りができ難くなっている。
【００３６】
以上のように、本実施形態の舗装構造１００であれば、排水床エリアＡ１の透水排水性ブロック１０に浸み込んだ雨水を集水ユニット３０に集めて排水することができ、保水床エリアＡ２の透水保水性ブロック２０に浸み込んだ雨水を速やかに蒸発させることができるので、この舗装構造１００を構築した路面に水溜りをでき難くすることができる。
【００３７】
なお、本発明は上記実施形態に限られるものではない。
例えば、図５に示すように、屋内外の境界Ｂにおける屋外側の領域に集水ユニット３０が設けられていてもよい。
また、透水排水性ブロック１０の一部が屋外側の路面に設置されていてもよい。
【００３８】
なお、以上の実施の形態においては、排水床エリアＡ１は、境界Ｂから屋内側６ｍまでの範囲に形成され、保水床エリアＡ２は、排水床エリアＡ１よりも屋内側であって境界Ｂから１０ｍまでの範囲（排水床エリアＡ１との境目から屋内側４ｍまでの範囲）に形成されているとしたが、本発明はこれに限定されるものではなく、排水床エリアＡ１や保水床エリアＡ２の範囲は、想定される通行人の量や、屋内外の施設の形態、ルーフＲの高さなどに応じて適宜設定すればよい。
【００３９】
また、その他、具体的な細部構造等についても適宜に変更可能であることは勿論である。
【符号の説明】
【００４０】
１０    透水排水性ブロック
１１    ブロック本体
１１ａ  溝
１２    遮水シート
２０    透水保水性ブロック
３０    集水ユニット
３１    トレー部材
３１ａ  排出口
３１ｂ  下台部
３２    集水用透水ブロック
３３    ユニット蓋
３４    空隙部
３５    透水目地
４０    第１防水層
５０    第２防水層
６０    第３防水層
１００  舗装構造
Ａ１    排水床エリア
Ａ２    保水床エリア
Ｂ      境界
Ｒ      ルーフ
Ｄ      排水路
Ｐ      排水パイプ
Ｇ      躯体基面
【図１】
0006705684.tif 000002
【図２】
0006705684.tif 000003
【図３】
0006705684.tif 000004
【図４】
0006705684.tif 000005
【図５】
0006705684.tif 000006